(57)【要約】【課題】複数個の各標識機材を案内部材及び移動部材により標識配置部の積載架台上の複数個の各標識機材を容易に積み込んだり積み降ろしたりすることができ、標識機材の積み込み、積み降ろし作業を安定した状態で行うことができ、標識機材の積み込み及び積み降ろしの作業性を向上することができる。【解決手段】積載架台４に複数個の案内部材５・・が移動車両１の幅方向に並列配置され、各案内部材は移動車両の後部から前部に向かって斜め前上がり状に配置され、各案内部材に複数個の移動部材６・・が移動自在に設けられ、移動部材と標識機材Ｗ・・の先端部とを係脱自在とする係脱機構７が設けられ、標識機材の基端部と上記積載架台とを着脱自在とする固定機構８を設けてなる。【選択図】図１
2020131884.tif 000002
【特許請求の範囲】
【請求項１】
移動車両の荷台上に複数個の標識機材を配置可能な標識配置部が配設され、該各標識機材は支柱に標識板が止着されてなり、上記標識配置部に積載架台が配置され、該積載架台に複数個の案内部材が移動車両の幅方向に並列配置され、該各案内部材は移動車両の後部から前部に向かって斜め前上がり状に配置され、該各案内部材に複数個の移動部材が移動自在に設けられ、該移動部材と上記標識機材の先端部とを係脱自在とする係脱機構が設けられ、該標識機材の基端部と上記積載架台とを着脱自在とする固定機構を設けてなることを特徴とする標識機材積載装置。
【請求項２】
上記係脱機構として、上記移動部材に係止溝部が形成され、上記標識機材の先端部に該係止溝部に係脱自在な係脱部が設けられてなることを特徴とする請求項１記載の標識機材積載装置。
【請求項３】
上記固定機構として、上記標識機材の基端部に挿脱穴部が形成され、上記積載架台に該挿脱穴部に着脱自在な挿入突部が設けられてなることを特徴とする請求項１又は２記載の標識機材積載装置。
【請求項４】
上記案内部材に上記標識機材の横倒れを防止する倒伏防止部材が設けられてなることを特徴とする請求項１〜３のいずれか１項に記載の標識機材積載装置。
【請求項５】
上記移動部材に上記標識機材を保持可能な標識保持部材が設けられてなることを特徴とする請求項１〜４のいずれか１項に記載の標識機材積載装置。
【発明の詳細な説明】
【技術分野】
【０００１】
本発明は例えば、道路標識等の各種の標識機材を移動車両に複数個搭載し、移動車両により標識機材を運搬し、所定の箇所で標識機材を人為的に荷台に積み込み、又は、標識機材を荷台から積み降ろす際に用いられる標識機材積載装置に関するものである。
【背景技術】
【０００２】
従来、この種の標識機材積載装置として、移動車両の荷台上に複数個の標識機材を配置可能な標識配置部が配設され、各標識機材は支柱に標識板が止着されてなり、標識配置部に複数個の標識機材を水平倒伏又は起立自在とする姿勢変更機構が設けられ、しかして、運搬時には標識機材は荷台上に水平倒伏状態で配置され、積み込み時には標識機材を起立状態から水平倒伏状態に倒伏させ、又、積み降ろし時には標識機材を水平倒伏状態から起立状態に起立させることになり、姿勢変更機構により人為的な積み込み、積み降ろしの労力軽減及び安全性の向上を目的とする構造のものが知られている。
【先行技術文献】
【特許文献】
【０００３】
【特許文献１】特許第５７８５８３９号
【発明の概要】
【発明が解決しようとする課題】
【０００４】
しかしながら上記従来構造の場合、複数個の標識機材を水平倒伏又は起立自在とする姿勢変更機構の構造が必要となり、人為的な標識機材の水平倒伏又は起立操作が必要となり、これに伴い、標識機材の積み込み、積み降ろし作業が厄介となったり、不安定な状態となり、積み込み及び積み降ろしの作業性が低下することがあるという不都合を有している。
【課題を解決するための手段】
【０００５】
本発明はこのような不都合を解決することを目的とするもので、本発明のうち、請求項１記載の発明は、移動車両の荷台上に複数個の標識機材を配置可能な標識配置部が配設され、該各標識機材は支柱に標識板が止着されてなり、上記標識配置部に積載架台が配置され、該積載架台に複数個の案内部材が移動車両の幅方向に並列配置され、該各案内部材は移動車両の後部から前部に向かって斜め前上がり状に配置され、該各案内部材に複数個の移動部材が移動自在に設けられ、該移動部材と上記標識機材の先端部とを係脱自在とする係脱機構が設けられ、該標識機材の基端部と上記積載架台とを着脱自在とする固定機構を設けてなることを特徴とする標識機材積載装置にある。
【０００６】
又、請求項２記載の発明は、上記係脱機構として、上記移動部材に係止溝部が形成され、上記標識機材の先端部に該係止溝部に係脱自在な係脱部が設けられてなることを特徴とするものであり、又、請求項３記載の発明は、上記固定機構として、上記標識機材の基端部に挿脱穴部が形成され、上記積載架台に該挿脱穴部に着脱自在な挿入突部が設けられてなることを特徴とするものである。
【０００７】
又、請求項４記載の発明は、上記案内部材に上記標識機材の横倒れを防止する倒伏防止部材が設けられてなることを特徴とするものであり、又、請求項５記載の発明は、上記移動部材に上記標識機材を保持可能な標識保持部材が設けられてなることを特徴とするものである。
【発明の効果】
【０００８】
本発明は上述の如く、請求項１記載の発明にあっては、移動車両の荷台上に複数個の標識機材を配置可能な標識配置部が配設され、標識配置部に積載架台が配置され、積載架台に複数個の案内部材が移動車両の幅方向に並列配置され、各案内部材は移動車両の後部から前部に向かって斜め前上がり状に配置され、各案内部材に複数個の移動部材が移動自在に設けられているから、標識機材の積み込み時及び積み降ろし時にあっては、地上の作業者により標識機材を把持し、案内部材と移動部材とによる標識機材の移動案内構造、各移動部材と各標識機材の先端部との間の係脱機構及び標識機材の基端部と上記積載架台との間の固定機構により係止装着し、複数個の各標識機材を案内部材及び移動部材により標識配置部の積載架台上の複数個の各標識機材を容易に積み込んだり積み降ろしたりすることができ、標識機材の積み込み、積み降ろし作業を安定した状態で行うことができ、標識機材の積み込み及び積み降ろしの作業性を向上することができる。
【０００９】
又、請求項２記載の発明にあっては、上記係脱機構として、上記移動部材に係止溝部が形成され、上記標識機材の先端部に係止溝部に係脱自在な係脱部が設けられているから、積み込み時及び積み降ろし時における移動部材と上記標識機材の先端部との係脱を容易に行うことができ、又、請求項３記載の発明にあっては、上記固定機構として、上記標識機材の基端部に挿脱穴部が形成され、上記積載架台に挿脱穴部に着脱自在な挿入突部が設けられているから、標識機材の基端部と上記積載架台との着脱を容易に行うことができる。
【００１０】
又、請求項４記載の発明にあっては、上記案内部材に上記標識機材の横倒れを防止する倒伏防止部材が設けられているから、標識機材の運搬時において、標識機材の横倒れを防止することができ、又、請求項５記載の発明にあっては、上記移動部材に上記標識機材を保持可能な標識保持部材が設けられているから、上記標識機材の積み込み及び積み降ろし時において、標識機材を標識保持部材により保持することができ、標識機材を安定的に移動することができ、標識機材の積み込み及び積み降ろしの作業性を向上することができる。
【図面の簡単な説明】
【００１１】
【図１】本発明の実施の形態例の全体正面図である。
【図２】本発明の実施の形態例の全体平面図である。
【図３】本発明の実施の形態例の部分拡大平面図である。
【図４】本発明の実施の形態例の部分拡大平面図である。
【図５】本発明の実施の形態例の部分拡大斜視図である。
【図６】本発明の実施の形態例の部分拡大斜視図である。
【図７】本発明の実施の形態例の部分拡大縦断面図である。
【図８】本発明の実施の形態例の部分拡大斜視図である。
【図９】本発明の実施の形態例の部分拡大断面図である。
【図１０】本発明の実施の形態例の斜視図である。
【図１１】本発明の実施の形態例の使用状態図である。
【発明を実施するための形態】
【００１２】
図１乃至図１１は本発明の実施の形態例を示し、図１、図２、図３の如く、移動車両１の荷台２上に複数個の標識機材Ｗ・・を配置可能な標識配置部３が配設され、図１０の如く、各標識機材Ｗ・・は支柱Ｐに複数個の標識板Ｍ・・、この場合、四個の標識板Ｍ１・Ｍ２・Ｍ３・Ｍ４が取付バーＦ及び止金具Ｋにより止着され、標識板Ｍ１・Ｍ２・Ｍ３・Ｍ４には制限速度の数値、車両通行止め、追い越し禁止、道路工事中などの交通規制文字や交通規制図柄が表示され、そして、大別すると、上記標識配置部３に積載架台４が配置され、積載架台４に複数個の案内部材５・・が移動車両１の幅方向に並列配置され、各案内部材５・・は移動車両１の後部から前部に向かって斜め前上がり状に配置され、各案内部材５・・に複数個の移動部材６・・が移動自在に設けられ、移動部材６と上記標識機材Ｗの先端部とを係脱自在とする係脱機構７が設けられ、標識機材Ｗの基端部と上記積載架台４とを着脱自在とする固定機構８を設けて構成している。
【００１３】
この場合、上記係脱機構７として、図３、図６、図７の如く、上記移動部材６・・に係止溝部７ａ・・が形成され、上記標識機材Ｗ・・の先端部に係止部材ＷＫが取り付けられ、係止部材ＷＫに上記係止溝部７ａ・・に係脱自在な係脱部７ｂ・・が設けられ、係止溝部７ａ・・と係止部材ＷＫの係脱部７ｂ・・との係脱により移動部材６と上記標識機材Ｗの先端部とを係脱自在に構成している。
【００１４】
この場合、上記固定機構８として、図４、図８、図９の如く、上記標識機材Ｗの基端部に、この場合、管状の支柱Ｐの内穴としての挿脱穴部８ａが形成され、上記積載架台４に取付板部４ａが設けられ、取付板部４ａに上記挿脱穴部８ａに着脱自在な挿入突部８ｂが設けられ、かつ、支柱Ｐ及び挿入突部８ｂに止着ピン８ｃが挿脱自在に設けられ、標識機材Ｗの基端部と上記積載架台４とを着脱自在に構成している。
【００１５】
又、この場合、図５、図７の如く、上記案内部材５・・に上記標識機材Ｗの横倒れを防止する倒伏防止部材５ａ・・が設けられ、すなわち、図５の如く、案内部材５の前部に側面Ｌ形状の倒伏防止部材５ａを立設し、図２、図７の如く、倒伏防止部材５ａ・・間に標識機材Ｗの標識板Ｍ１が挿通配置され、標識機材Ｗの横倒れを防止する構造としている。
【００１６】
又、この場合、図６、図７の如く、上記移動部材６に上記標識機材Ｗを保持可能な標識保持部材６ａ・・が設けられ、すなわち、移動部材６は底板６ｂ、前板６ｃ及び側板６ｄにより形成され、底板６ｂに移動部材６を上記案内部材５に沿って移動案内させる案内ロール６ｅを設け、移動部材６の側板６ｄを標識保持部材６ａ・・に形成し、標識保持部材６ａ・・としての側板６ｄにより標識機材Ｗを保持可能に構成している。
【００１７】
この実施の形態例は上記構成であるから、図１１の如く、移動車両１の荷台２上に複数個の標識機材Ｗ・・を配置可能な標識配置部３が配設され、標識配置部３に積載架台４が配置され、積載架台４に複数個の案内部材５・・が移動車両１の幅方向に並列配置され、各案内部材５・・は移動車両１の後部から前部に向かって斜め前上がり状に配置され、各案内部材５・・に複数個の移動部材６・・が移動自在に設けられ、しかして、標識機材Ｗの積み込み時にあっては、地上の作業者は標識機材Ｗを把持し、各移動部材６・・に各標識機材Ｗの先端部を係脱機構７により係止し、作業者は標識機材Ｗを案内部材５・・に沿って移動部材６を移動車両１の後部から前部に向かって斜め前上がり状に上昇移動させ、上昇位置において、図９の如く、標識機材Ｗの基端部と上記積載架台４とを固定機構８により係止装着し、複数個の各標識機材Ｗ・・を案内部材５及び移動部材６により上昇移動することにより標識配置部３の積載架台４上に積み込むことになり、又、荷台２からの積み降ろし時にあっては、地上の作業者は標識機材Ｗの基端部と上記積載架台４との係止装着を固定機構８により解除し、荷台２上の標識機材Ｗを把持し、各移動部材６・・に各標識機材Ｗ・・の先端部が係脱機構７により係止された状態のまま、案内部材５・・に沿って移動部材６を移動車両１の前部から後部に向かって手前側に下降移動させ、下降位置において、各移動部材６・・から各標識機材Ｗ・・の先端部を脱去し、係脱機構７の係止を解除して取り出すことにより標識配置部３の積載架台４上の各標識機材Ｗ・・を積み降ろすことになる。
【００１８】
したがって、標識機材Ｗの積み込み時及び積み降ろし時にあっては、地上の作業者により標識機材Ｗを把持し、案内部材５・・と移動部材６・・とによる標識機材Ｗの移動案内構造、各移動部材６・・と各標識機材Ｗの先端部との間の係脱機構７及び標識機材Ｗの基端部と上記積載架台４との間の固定機構８により係止装着し、複数個の各標識機材Ｗ・・を案内部材５及び移動部材６により標識配置部３の積載架台４上の複数個の各標識機材Ｗ・・を容易に積み込んだり積み降ろしたりすることができ、標識機材Ｗの積み込み、積み降ろし作業を安定した状態で行うことができ、標識機材Ｗの積み込み及び積み降ろしの作業性を向上することができる。
【００１９】
又、この場合、上記係脱機構７として、図３、図６、図７の如く、上記移動部材６・・に係止溝部７ａ・・が形成され、上記標識機材Ｗ・・の先端部に係止溝部７ａ・・に係脱自在な係脱部７ｂ・・が設けられているから、積み込み時及び積み降ろし時における移動部材６と上記標識機材Ｗの先端部との係脱を容易に行うことができ、又、この場合、上記固定機構８として、図４、図８、図９の如く、上記標識機材Ｗの基端部に挿脱穴部８ａが形成され、上記積載架台４に挿脱穴部８ａに着脱自在な挿入突部８ｂが設けられているから、標識機材Ｗの基端部と上記積載架台４との着脱を容易に行うことができる。
【００２０】
又、この場合、図５、図７の如く、上記案内部材５・・に上記標識機材Ｗの横倒れを防止する倒伏防止部材５ａ・・が設けられているから、標識機材Ｗの運搬時において、標識機材Ｗの横倒れを防止することができ、又、この場合、図６、図７の如く、上記移動部材６に上記標識機材Ｗを保持可能な標識保持部材６ａ・・が設けられているから、上記標識機材Ｗの積み込み及び積み降ろし時において、標識機材Ｗを標識保持部材６ａにより保持することができ、標識機材Ｗを安定的に移動することができ、標識機材Ｗの積み込み及び積み降ろしの作業性を向上することができる。
【００２１】
尚、本発明は上記実施の形態例に限られるものではなく、例えば、標識機材Ｗ、支柱Ｐ、標識板Ｍ、移動車両１、荷台２、標識配置部３、積載架台４、案内部材５、倒伏防止部材５ａ、移動部材６、標識保持部材６ａ、係脱機構７、係止溝部７ａ、係脱部７ｂ、固定機構８、挿脱穴部８ａ、挿入突部８ｂの数や形態、構造等は適宜変更して設計されるものである。
【００２２】
以上、所期の目的を充分達成することができる。
【符号の説明】
【００２３】
Ｗ    標識機材
Ｐ    支柱
Ｍ    標識板
１    移動車両
２    荷台
３    標識配置部
４    積載架台
５    案内部材
５ａ    倒伏防止部材
６    移動部材
６ａ    標識保持部材
７    係脱機構
７ａ    係止溝部
７ｂ    係脱部
８    固定機構
８ａ    挿脱穴部
８ｂ    挿入突部
【図１】
2020131884.tif 000003
【図２】
2020131884.tif 000004
【図３】
2020131884.tif 000005
【図４】
2020131884.tif 000006
【図５】
2020131884.tif 000007
【図６】
2020131884.tif 000008
【図７】
2020131884.tif 000009
【図８】
2020131884.tif 000010
【図９】
2020131884.tif 000011
【図１０】
2020131884.tif 000012
【図１１】
2020131884.tif 000013